(57)【要約】      （修正有）【課題】普段の生活には邪魔にはならないが、存在場所は認識しやすく、かつ非常に際しては即時に救命胴衣の取出しが可能な救命胴衣格納箱を提供する。【解決手段】建物の壁に取付け可能な格納箱Ａであって、内部に救命胴衣Ｂが収納可能であって、格納箱Ａの底板５ａ、５ｂが開閉可能であり、救命胴衣Ｂは、吊紐６で吊持され、かつ底板５ａ、５ｂに載せられており、吊紐６は、底板５ａ、５ｂを開放することによって吊下された救命胴衣Ｂが、格納箱Ａの下方に位置して外部から視認できる長さを有している。非常時には底板を下方に開くだけで、救命胴衣Ｂが底板による支えを失って下方に落下するが、紐６の長さは、格納箱Ａの下方に救命胴衣Ｂが見える長さになっているので、非常事態に慌てた人でも視認でき、必ず持ち出して使用することができる。【選択図】図３
0003180161.tif 000002
【実用新案登録請求の範囲】
【請求項１】
建物の壁に取付け可能な格納箱であって、内部に救命胴衣が収納可能であって、該格納箱の底板が開閉可能であり、
前記救命胴衣は、吊紐で格納箱内部に吊持され、かつ前記底板に載せられており、
前記吊紐は、底板を開放することによって吊下された前記救命胴衣が、該格納箱の下方に位置して外部から視認できる長さを有している
ことを特徴とする救命胴衣格納箱。
【請求項２】
前記底板が、下向きに揺動させて開く開閉板である
ことを特徴とする請求項１記載の救命胴衣格納箱。
【考案の詳細な説明】
【技術分野】
【０００１】
本考案は、救命胴衣格納箱に関する。さらに詳しくは、建物や船舶その他の輸送機関内に常備しておく救命胴衣格納箱に関する。
【背景技術】
【０００２】
救命胴衣は、津波や海難事故などの非常時に使用するものであるため、普段は使われることなく、長期間人眼に付かぬ場所にしまわれてしまうことが多い。このため、非常に際して救命胴衣の保管場所が気付かれずに有効に使われないことがあった。
しかし、これでは救命胴衣を用意しておく意味がない。
【０００３】
従来技術の一例である特許文献１は、航空機の座席に救命胴衣の収納スペースを設けたものである。
航空機のように規格の統一された大形の椅子が多数ある場合は、収納スペースとして利用効率が高いが、一般家庭や学校、工場などには救命胴衣の収納に使えるような大形の椅子はほとんど存在しない。
【０００４】
しかるに、日常から眼にするにする場所に救命胴衣を保管しておき、非常に際して目立つようにしておくことができれば、救命胴衣の利用効果も高くなる。
【先行技術文献】
【特許文献】
【０００５】
【特許文献１】特表２００９−５０１６５６号公報
【考案の概要】
【考案が解決しようとする課題】
【０００６】
本考案は上記事情に鑑み、普段の生活には邪魔にはならないが、存在場所は認識しておけ、かつ非常に際しては即時に救命胴衣の取出しが可能な救命胴衣格納箱を提供することを目的とする。
【課題を解決するための手段】
【０００７】
第１考案の救命胴衣格納箱は、建物の壁に取付け可能な格納箱であって、内部に救命胴衣が収納可能であって、該格納箱の底板が開閉可能であり、前記救命胴衣は、吊紐で格納箱内部に吊持され、かつ前記底板に載せられており、前記吊紐は、底板を開放することによって吊下された前記救命胴衣が、該格納箱の下方に位置して外部から視認できる長さを有していることを特徴とする。
第２考案の救命胴衣格納箱は、第１考案において前記底板が、下向きに揺動させて開く開閉板であることを特徴とする。
【考案の効果】
【０００８】
第１考案によれば、次の効果を奏する。
ａ）救命胴衣格納箱は壁に取付け可能であるので、空スペースとなっている壁面を利用して設置可能であり、普段から眼に止まりやすい壁面に設置すれば非常時にも必ず救命胴衣の格納場所を容易に認識することができる。
ｂ）非常時には底板を開くだけで、救命胴衣が底板による支えを失って下方に落下するが、紐の長さは、格納箱の下方に救命胴衣が吊下げられているのが見える長さになっているので、非常事態に慌てた人でも充分に視認でき、救命胴衣を必ず持ち出して使用することができる。
ｃ）救命胴衣が格納箱から落下した状態では、救命胴衣は吊紐で救命胴衣格納箱に連結されているので、津波等によって流され失われることはない。このため、必ず人の救命に利用できる。
第２考案によれば、壁取付けの格納箱を高い所に取付けておけば、底板を下向きに開放するのは容易なので迅速に救命胴衣を人に供給できる。
【図面の簡単な説明】
【０００９】
【図１】本考案の一実施形態に係る救命胴衣格納箱における下から見上げた状態の斜視図である。
【図２】格納状態の説明図であって、（Ａ）は救命胴衣格納箱の正面図、（Ｂ）は同側面図である。
【図３】取出し状態の説明図であって、（Ａ）は救命胴衣格納箱の正面図、（Ｂ）は同側面図である。
【考案を実施するための形態】
【００１０】
つぎに、本考案の実施形態を図面に基づき説明する。
図１に示すように、本実施形態の格納箱Ａは直方体の箱であって、正面１、背面（図面には表れていない）、天板２、２枚の側板３，４および底板５からなる。そして、底板５は開閉可能になっている。
図示しない背面は、ボルトやフック等の任意の金具で建物や船舶等の壁面Ｗに取付け可能となっている。
【００１１】
底板５は、２枚の開閉板５ａ，５ｂからなり、前方の開閉板５ａは長辺をヒンジ部として水平位置と垂直下方位置の間で揺動し、後方の開閉板５ｂも長辺をヒンジ部として水平位置と垂直下方位置の間で揺動するようになっている。すなわち、下向きに開らく形式の開閉板である。なお、底板５は、２枚の開閉板からなるものだけでなく、１枚の開閉板で構成されていてもよい。
【００１２】
図１は開閉板５ａ，５ｂの閉止状態であるが、閉止状態の保持には、常時は閉止しているが人が力を加えると開放することができる保持手段が好ましい。このような保持手段としては、金属片の弾性を利用して係合離脱を許容するフックや、磁力の吸着作用を用いた磁石など任意の手段を用いることができる。
符号５ｃは手を引っ掛ける孔または凹所を示している。
【００１３】
図２および図３に示すように、救命胴衣格納箱Ａの内部には複数個の救命胴衣Ｂが収納される。図示の実施形態では、３個の救命胴衣Ｂを収納しているが、２個であってもよく、４個以上であってもよい。そして、救命胴衣Ｂは、吊紐６で吊持され、かつ底板５に載せられている。
【００１４】
図３に示すように、吊紐６は、底板５を開放することによって吊下された救命胴衣Ｂが、救命胴衣格納箱Ａの下方に位置して外部から視認できる長さを有している。ただし、救命胴衣Ｂが、救命胴衣格納箱Ａから完全には出ることなく、視認は確実に行える長さが好ましい。そうすることによって、吊紐６のからまりを防止でき、人の通行の邪魔にもならないようにできる。
【００１５】
救命胴衣格納箱Ａを建物や船舶の壁Ｗの高い所に取付けておけば、下向き開放の底板５の開放動作に力を入れやすいので、迅速に開らけて救命胴衣Ｂを速やかに人に供給できる。しかも、普段は生活や活動の邪魔をすることがない。
【００１６】
本考案の救命胴衣格納箱Ａを建物や船舶の壁に取付けておけば、非常の際に次のような利点を発揮できる。
ａ）救命胴衣格納箱Ａは空スペースとなっている壁面Ｗを利用して設置可能であり、普段から眼に止まりやすい壁面Ｗに設置しておけるので、非常時にも必ず救命胴衣Ｂの格納場所を容易に認識することができる。
ｂ）非常時には底板５を開くだけで、救命胴衣Ｂが底板による支えを失って下方に落下するが、紐６の長さは、格納箱Ａの下方に救命胴衣Ｂが吊下げられているのが見える長さになっているので、非常事態に慌てた人でも充分に視認できる。このため、救命胴衣Ｂを必ず、しかも即座に持ち出して使用することができる。
ｃ）救命胴衣Ｂが救命胴衣格納箱Ａから落下した状態では、救命胴衣Ｂは吊紐６で救命胴衣格納箱Ａに連結されているので、津波等によって流され失われることはない。このため、必ず人の救命に利用できる。
【符号の説明】
【００１７】
Ａ      救命胴衣格納箱
Ｂ      救命胴衣
１      正面
２      天板
３，４  側板
５      底板
６      吊紐
【図１】
0003180161.tif 000003
【図２】
0003180161.tif 000004
【図３】
0003180161.tif 000005